(57)【特許請求の範囲】
【請求項１】
個人情報が記録されるとともに、この個人情報を読み取るべき読み取り装置から発信される電波により誘導起電力を発生させる機能部を設け、この誘導起電力により動作して前記読み取り装置との間で無線通信を行う記録媒体物と、記録媒体物が取り付けられ且つ外生地の内部に設けられる肩パッドと、いせこみ部とを備えた制服であって、
肩パッドは、いせこみ部の近傍であって、その交換により制服が醜いものとなり商品価値を損ねる箇所に設けられ、かつこの肩パッドに記録媒体物が埋め込まれていることを特徴とする制服。
【請求項２】
請求項１記載の制服の管理方法であって、記録媒体物に記録された当該制服の所有者の個人情報を、この個人情報を読み取る読み取り装置と、読み取り装置により読み取られた個人情報を管理するための制服管理プログラムとで管理することを特徴とする制服の管理方法。
【発明の詳細な説明】
【０００１】
【産業上の利用分野】
本願発明は新規な制服管理システムおよび方法に関する。本願発明に係る制服管理システムは警察官や自衛官などの公務員および民間人の制服が不正取引や不正に販売されるまたは犯罪に利用されるのを事前に抑制できる制服管理がおこなえるシステム及び方法に関する。
【０００２】
【従来の技術】
従来、例えば警察官の制服において、所有者を特定するためには制服の裏面に所有者名を記載または刺繍された個人名のみでしか識別できなかった。
【０００３】
さらに一般の制服においては衣服から簡単に取り外せるべく非接触ＩＤタグを作業衣や白衣などの衣服の釦として用い衣服に縫い付ける、または非接触ＩＤタグを収納した袋を衣服に縫い付ける方法が取られていた。
【０００４】
他方、貸与した制服の管理は記帳するのみで返却時の照合を厳重におこなうことが非常に困難であった。このため記載された個人名を消去および個人名の刺繍を取り外して所有者を特定できなくした後、不正に販売され、その結果犯罪に使用されたりしていた。
【０００５】
【発明が解決しようとする課題】
【０００６】
本発明者らは上記欠点のない制服管理システムについて鋭意検討した結果、遂に次の発明に到達した。制服等を不正に販売および犯罪に使用された制服の所有者を、回収した制服から簡単に特定でき、更に制服の所有者管理を行うことが出来る制服管理方法を提供することを目的とする。
【０００７】
【課題を解決するための手段】
特許請求項からもわかるとうり本願の主な骨子は次の通りである。すなわち、（１）肩の部分は衣服のなかで最も込み入った複雑な部分であり、いせこみ部がすぐ横にあるために一度開けられると醜い物になってしまうため肩パッド２部分は最も交換のしにくい部分でもある。この肩パッド２の部分に記録媒体物１を埋め込み、制服３に、取り付ける。この埋め込んだ記録媒体物１を無理に取り出すと制服３として醜いものとなり商品価値をなくしてしまう制服３である。
（２）制服管理を行うコンピュータ４、およびあらかじめ個人認証コードが記録された記録媒体物１と，近傍においてその記録内容を読み取る読み取り装置６とで構成して管理することを特徴とする。制服３に取り付けている肩パッド２に収納された記録媒体物１の内容を読み取ることで制服管理が行うことができる制服管理方法である。
（３）表面に印刷またはプリントされたワッペン内に収納した記録媒体物１を取り外す事で印刷またはプリントされたワッペンに損傷をあたえることで制服３としての価値をなくす制服３である。
（４）制服管理を行うコンピュータ４、およびあらかじめ個人認証コードが記録された記録媒体物１と，近傍においてその記録内容を読み取る読み取り装置６とで構成して，管理することを特徴とする。制服３に取り付けている肩パッド２に収納された記録媒体物１の内容を読み取ることで制服管理を行うことができる制服管理方法である。
【０００８】
本発明の理解を容易ならしめるために、先ず図を用いて説明する。第１図は、本願発明の制服管理システムの構成を示すもので、１は氏名または番号記録した記録媒体物であり、カード，バッジ，ペンダントやタグなどを指すことは申すまでもない更に記録媒体物１が内部に電源を保持せず、読み取り装置６より発振される電波により誘導起電力が発生する機能部を設け、この起電力により動作して更に１と６の通信を無線で行う。２はその記録媒体物を収納する肩パッドでありこれはワッペンでもかまわない、３は肩パッドをとりつける制服であり、４はコンピュータ、５は制服管理プログラム，６はその記録媒体物読み取り装置である。
【０００９】
１．は記録媒体物であり非接触ＩＣカード、バッジ，ペンダントやタグなどである。
例えば、（株）東芝製のＣＤ２００１が、またオムロン（株）製のＶ７００−Ｄ１３Ｐ３１が好ましく用いられる。
２．は記録媒体物を収納する肩パッドである（もちろん外生地の内部に設けてある）。
３．は制服であり、肩パッドを取り付ける。
４．はコンピュータであり、一般にいわれるパソコンやワークステーションやマイコンが使われる。
５．は制服管理プログラムである。
そのプログラムには、記録媒体物への情報の書き込みや読み込みの機能や制服管理データベースの機能が含まれ、制服の個人情報や制服の貸与日付や出庫在庫状況や回収日時、廃棄日時、紛失届け及び紛失日時などの記録が可能となっている。
【００１０】
６．は記録媒体物書き込み、読み取り装置である。
例えば（株）東芝製のＱタグリーダ・ライターやオムロン（株）製のＶ７００−ＣＤ１Ｄが好ましく用いられる。
【００１１】
【作用】
本願発明では１と４と５と６を同時に組み合わされているので，すなわち、制服管理情報を広範囲に利用することが可能である。
なお、本発明には、次の各構成を発明の重要な内容として含むものである。
【００１２】
Ａ．記録媒体物への記録更新ができること。
Ｂ．制服の所有者の特定が出来ること。
Ｃ．本発明の構成による制服の管理方法・システムを含むビジネスモデルを含む。
Ｄ．制服管理を一覧表にすること。および制服配布，回収の集計が毎回自動的にまたは必要に応じなされること。またプリンターに接続することにより、印刷できること。
Ｅ．制服回収時の担当者、回収方法、廃棄方法、日時を一覧表にすること。（ソフトととして、これらが検出，整理されることを含むことは申すまでもない）
Ｆ．別のソフトより、人名、識別番号が取り込めること。
【００１３】
【好ましい範囲】
記録媒体物には、非接触ＩＣカード、バッジ，ペンダントやタグが好ましく、特にタグが好ましい。
記録媒体物の封入保護材質には、プラスチックや布地やエポキシ樹脂が好ましく、特にエポキシ樹脂封入が好ましい。
記録媒体物から書込、読込装置への応答周波数には、１３．５６ＭＨＺや６２．５ＫＨＺが好ましく、特に６２．５ＫＨＺが好ましい。
書込，読込装置から記録媒体物への受信周波数には、１３．５６ＭＨＺや１２５ＫＨＺ好ましく、特に１２５ＫＨＺが好ましい。
コンピュータには、ワークステーションやパソコンやマイコンが好ましく、特にパソコンが好ましい。
【００１４】
【発明の効果】
【効果Ａ】
制服の管理者は一々記帳する手間が不要である。
【効果Ｂ】
制服に個人名を記入、または刺繍しなくても良い。
【効果Ｃ】
制服の所有者の一覧が作成できる。
【効果Ｄ】
制服の不正な売買および制服を利用した犯罪を抑制できる。
【効果Ｅ】
身分証明カードと同時に組み合わせることができる。
【効果Ｆ】
証拠をはっきりと残しうる。
【用途】
本発明の独特の肩パッド、それを含む制服、ワッペン、ワッペンを取りつけた制服は、警察官や、自衛官や、消防士や，パイロットなどの用途に好ましく用いられる。また、特殊な場合、ＳＰ（Ｓｅｃｕｒｉｔｙ  Ｐｏｌｉｃｅ）や児童、中高生、学生に用いられる。
【図面の簡単な説明】
【図１】本発明にかかる制服管理システムの記録媒体物と肩パッドの詳細図である。
【図２】本発明にかかる制服管理方法、システムの実体を説明するための全体図である。
【図３】本発明にかかる肩パッドである。
【符号の説明】
１は記録媒体物を示し、２は肩パッドを示し、３は制服である、４はコンピュータで、５は制服管理プログラム、６は記録媒体物読み取り装置を示す。
【図１】
0003842993.tif 000002
【図２】
0003842993.tif 000003
【図３】
0003842993.tif 000004